(57)【要約】      （修正有）【課題】１つの飼育具で小動物のペットの生活環境を整える環境用飼育具および小動物の可愛い所作を観賞することができる観賞用飼育具との双方の機能を発揮することができるようにする。【解決手段】小動物用飼育具１０は、カポックの乾燥果実２０の外皮２１に所定の範囲で内部が露出するように開口３０が形成されてなるものである。開口３０は、乾燥果実２０の長手方向に長径を備えた略円弧状に設定されている。開口３０は、カポックの乾燥果実２０の長手方向の両端部の互いに対向した位置に周方向へ延びる切れ目を設けた後に、一方の切れ目から他方の切れ目へ向けて外皮２１を捲ることにより形成されている。【選択図】図１
0003148927.tif 000002
【実用新案登録請求の範囲】
【請求項１】
カポックの乾燥果実の外皮に所定の範囲で内部が露出するように開口が形成されていることを特徴とする小動物用飼育具。
【請求項２】
前記開口は、前記カポックの乾燥果実の両側が若干外側に拡がる略弧状を呈するように形成されていることを特徴とする請求項１記載の小動物用飼育具。
【請求項３】
前記開口は、前記カポックの乾燥果実の長手方向の両端部の互いに対向した位置に周方向へ延びる切れ目をそれぞれ設けた後に、一方の切れ目から他方の切れ目へ向けて外皮を捲ることにより形成されていることを特徴とする請求項２記載の小動物用飼育具。
【請求項４】
前記開口は、前記カポックの乾燥果実の外皮がカッターまたは電動丸鋸によって切り取られることによって形成されていることを特徴とする請求項１記載の小動物用飼育具。
【請求項５】
前記開口は、前記カポックの乾燥果実が全周に亘って横断面略円形状または略楕円形状に切断されることによって形成されていることを特徴とする請求項１記載の小動物用飼育具。
【請求項６】
前記カポックの乾燥果実の外皮に内蔵されている多数の小球状の綿状体の果肉に殺虫、殺菌、滅菌処理が施されていることを特徴とする請求項１乃至５のいずれかに記載の小動物用飼育具。
【考案の詳細な説明】
【技術分野】
【０００１】
本考案は、ペットとして飼育されるハムスターやリス、さらにはハツカネズミ等の齧歯類の小動物に供される小動物用飼育具に関するものである。
【背景技術】
【０００２】
ハムスターやリス、さらにはハツカネズミ等の齧歯類の小動物は、その所作が非常に可愛いことから、愛玩用および観賞用のペットとして人気があり、愛好者に広く飼育されている。かかる小動物を飼育する飼育具としては、大きく分けて環境用飼育具と、観賞用飼育具とがある。
【０００３】
環境用飼育具は、飼育空間を確保するためのケージや、餌用容器、水用容器さらには配設用の容器などの小動物の生活環境を確保するためのものであり、飼育具として必須のものが多い。これに対し観賞用飼育具は、小動物に可愛い所作を行わせ、それを見て楽しむための道具である。従って、かかる観賞用飼育具は、飼育する上で特に必須ではないが、ペット自身の運動のためやストレス解消のために有用な場合があり、採用するのが好ましいとされている。
【０００４】
環境用飼育具としては、例えばガラス窓越しに地下の営巣を観察し得るように構成された特許文献１および特許文献２に記載されたものを挙げることができる。
【０００５】
観賞用飼育具としては、代表的な例として、特許文献３に記載された、小動物が網張りの筒内で駆けることにより回転する回し車を挙げることができる。
【特許文献１】特開平１０−５６９０３号公報
【特許文献２】特開２００４−１５９５４１号公報
【特許文献３】特開２００５−２３７２８６号公報
【考案の開示】
【考案が解決しようとする課題】
【０００６】
ところで、特許文献１および特許文献２に記載の環境用飼育具は、飼育環境に関する機能しか発揮することができず、また特許文献３に記載の観賞用飼育具は、観賞用としてしか使用することができず、結局両方を飼育用のケージ内に配置すると、ケージ内が手狭になってしまい、小動物にストレスを与えてしまう場合があるという問題点を有している。
【０００７】
本考案は、上記のような問題点を解消するためになされたものであって、１つの飼育具でありながら小動物の生活環境を整える環境用飼育具および小動物の可愛い所作を観賞することができる観賞用飼育具との双方の機能を発揮することができる小動物用飼育具を提供することを目的としている。
【課題を解決するための手段】
【０００８】
請求項１記載の考案（小動物用飼育具）は、カポックの乾燥果実の外皮に所定の範囲で内部が露出するように開口が形成されていることを特徴とするものである。
【０００９】
カポックは、綿状の繊維と種子とが外皮によって包囲された外観視で細長い紡錘形状を呈する果実を実らせるものである。かかるカポックの乾燥果実は、外皮が非常に硬いため、ハムスターやリスなどの齧歯類の小動物に与えても、小動物は、そのままでは乾燥果実にかぶり付くことができないが、請求項１の発明によれば、カポックの乾燥果実の外皮に所定の範囲で内部が露出するように開口が設けられているため、小動物は、開口の縁部を手がかりにしてかじることができるとともに、カポックの乾燥果実には、小球状に丸まった綿状繊維（以下小球状綿状繊維という）が多数内臓されているため、開口から露出した小球状綿状繊維を掻き出すことができ、小動物にとっては格好の遊び道具となる。この掻き出し所作は、非常に可愛らしくて充分に観賞に堪え得るものになる。この場合、カポックの乾燥果実は、観賞用飼育具として機能することになる。
【００１０】
また、小動物が硬い乾燥果実をかじると、歯が研磨されてその伸び過ぎが防止されるため、歯の健康上有用であるとともに、かじることでストレスも解消され、小動物の精神衛生上も好都合である。さらに、小動物は、乾燥果実の中の小球状綿状繊維を掻き出して遊ぶとともに、掻き出した後の外皮内の空洞に所定の大きさに丸めた繊維で寝床をつくって睡眠する。このようにカポックの乾燥果実は、小動物の生活環境を快適なものにするための環境用飼育具としても機能することになる。
【００１１】
このように、請求項１記載の小動物用飼育具は、１つで観賞用飼育具と生活環境用飼育具との双方の機能を有しているため、それぞれが別個のものである場合に比較し、場所をとらず、ケージ内の生活空間を狭くするような不都合が生じないようにした上で、飼育者は、小動物の可愛い動作を観賞することができるとともに、小動物に生活環境用の部材を与えることができる。
【００１２】
請求項２記載の考案は、請求項１記載の考案において、前記開口は、前記カポックの乾燥果実の両側が若干外側に拡がる略弧状を呈するように形成されていることを特徴とするものである。
【００１３】
かかる構成によれば、外皮に形成される開口は、カポックの乾燥果実の略全長に渡って所定幅寸法で形成されるため、小動物は外皮の縁部を広い範囲に亘ってかじることができるとともに、外皮内の小球状綿状繊維が引き出し易くなる。
【００１４】
請求項３記載の考案は、請求項２記載の考案において、前記開口は、前記カポックの乾燥果実の長手方向の両端部の互いに対向した位置に周方向へ延びる切れ目をそれぞれ設けた後に、一方の切れ目から他方の切れ目へ向けて外皮を捲ることにより形成されていることを特徴とするものである。
【００１５】
かかる構成によれば、カポックの乾燥果実に開口を設けるに際し、予め当該乾燥果実の長手方向の両端部の互いに対向した位置に周方向に延びた一対の切れ目の一方側にドライバーのような先鋭工具の先端を差し入れて他方の切れ目に向けて起こすことにより、この部分の外皮は、繊維の延びる方向に沿って外部に突出した状態の突出外皮片になる。この突出外皮片をペンチなどの挟持工具で挟んで引っ張ることにより、当該突出外皮片は、外皮の繊維の延びる方向に捲れていくことになる。そして、捲られた外皮は、その基端側が他方の切れ目に到達すると、当該切れ目に沿って自然と乾燥果実から剥がれるため、カポックの外皮に長尺の開口が形成された状態になる。
【００１６】
このように、カポックの乾燥果実の外皮に開口を設けるに際し、予め当該乾燥果実の長手方向の両端部の互いに対向した位置に周方向に延びた切れ目を設けることによって、外皮に開口を容易に形成させることが可能になり、小動物用飼育具の製造が容易になる。
【００１７】
請求項４記載の考案は、請求項１記載の考案において、前記開口は、前記カポックの乾燥果実の外皮がカッターまたは電動丸鋸によって切り取られることによって形成されていることを特徴とするものである。
【００１８】
かかる構成によれば、カポックの外皮の一部をカッターまたは電動丸鋸の刃先で切削した後、当該カッターまたは電動丸鋸を外皮の適所で円を描くように一周させることによって、外皮に容易に開口を形成させることができる。そして、カッターまたは電動丸鋸を使用した場合には、種々の形状の開口を形成させることができるため、デザイン的に優れた商品価値の高い小動物用飼育具を製造することができる。
【００１９】
請求項５記載の考案は、請求項１記載の考案において、前記開口は、前記カポックの乾燥果実が全周に亘って横断面略円形状または略楕円形状に切断されることによって形成されていることを特徴とするものである。
【００２０】
かかる構成によれば、カポックの乾燥果実を切断するという簡単な操作で切断面に開口が形成される。
【００２１】
請求項６記載の考案は、請求項１乃至５のいずれかに記載の考案において、前記カポックの乾燥果実の外皮に内蔵されている多数の小球状の綿状体の果肉に殺虫、殺菌、滅菌処理が施されていることを特徴とするものである。
【００２２】
かかる構成によれば、カポックの乾燥果実の外皮に囲繞された綿状の果肉には、殺虫、殺菌、滅菌処理が施されているため、綿状の果肉内で害虫や有害菌の成育が防止される。また、殺虫、殺菌、滅菌処理は、脱酸素剤を用いて害虫を窒息死させる方法や、小動物に適した殺菌、滅菌方法で行えば、これらの処理によって小動物に悪影響を及ぼすことを防止することができる。
【考案の効果】
【００２３】
本考案に係る小動物用飼育具によれば、当該小動物用飼育具は、カポックの乾燥果実を加工してなる１つの加工品で観賞用飼育具と生活環境用飼育具との双方の機能を発揮させることができるため、それぞれが別個に観賞用および生活環境用の飼育具を調製する場合に比較し、場所をとらず、ケージ内の生活空間を狭くするような不都合が生じないようにすることができるとともに、ハムスター等の齧歯類の小動物の歯の伸び過ぎを防止することができる。これにより飼育者は、手軽に小動物の可愛い動作を観賞することができるとともに、小動物に生活環境用の部材を与えることができる。このように、本考案に係る小動物用飼育具は、ハムスター等の齧歯類の小動物をペットとして飼育するとともに、小動物の各種の所作を楽しむ上で極めて好都合である。
【考案を実施するための最良の形態】
【００２４】
図１は、本考案に係る小動物用飼育具１０の一実施形態を示す斜視図である。図１に示すように、小動物用飼育具１０は、ペットとして飼育されている小動物がその飼育環境で種々使用するものであり、カポックの乾燥果実２０の外皮２１にカッティング処理を施して開口３０を設け、内臓されている小球状の多数の綿状体（綿状体の果肉）２２を外部に露出させた状態とする。
【００２５】
因みに、カポック（別名パンヤ）は、木綿（キワタ）科の高木であって乾燥果実は長さ寸法が略２０ｃｍ、最長直径が略４ｃｍの長楕円形を呈している。かかるカポックの乾燥果実２０の内部は５室に分かれ、小球状綿状体２２の構成要素である長毛に包まれた１００〜１５０個の種子を有している。
【００２６】
そして、樹上で完全に乾燥すると、外皮が自然に割れて内蔵されている小球状綿状体２２に包まれた種子が落ちるようになる。そこで、本校案製品では、カポックの果実の外皮２１が緑色から褐色に変化して略乾燥した状態ではあるが、未だ割れるまでには至っていない果実のみを採取し、直ちに開口加工に供する。
【００２７】
このような状態の果実は、加工に最適な硬さになっており加工がし易い。また、加工後に完全乾燥状態になっても割れることがなく、開口状態を保持したまま外皮２１が硬く、かつ、内蔵されている小球状綿状体２２も乾燥しているので、カビが発生することもない。
【００２８】
本考案では、このようなカポックの乾燥果実２０で割れていないものを採取し、その外皮２１に開口３０を設け、完全乾燥させることで内部の小球状綿状体２２を外部に露出させて製品としている。
【００２９】
以下、図２〜図４を基に、カポックの乾燥果実２０の外皮２１に開口３０を設ける方法について説明する。図２は、開口３０の形成方法の第１実施形態を示す斜視図であり、図２（Ａ）は、外皮２１の両端部の適所に長手方向と直交する方向に向けてそれぞれ切れ目２１１を入れている状態、図２（Ｂ）は、一方の切れ目２１１を起こして突出外皮片２１２を形成させている状態、図２（Ｃ）は、突出外皮片２１２を挟持工具であるペンチ６０で挟んで引っ張り、外皮２１を他方の切れ目２１１へ向けて捲っている状態をそれぞれ示している。
【００３０】
第１実施形態の方法でカポックの乾燥果実２０の外皮２１に開口３０を設けるには、まず、図２（Ａ）に示すように、乾燥果実２０の両端部に当該乾燥果実２０の長手方向と直交する方向に向けて互いに対応した切れ目２１１をそれぞれ設ける。切れ目２１１の長さ寸法としては、略１０ｍｍが好適である。かかる切れ目２１１は、図略の所定の切削工具を用いて設けられる。
【００３１】
ついで、外皮２１に一対の切れ目２１１が形成されると、今度は、図２（Ｂ）に示すように、一方の切れ目２１１に先端が先鋭な図略の所定の工具を差し込み、こじ開ける要領で当該切れ目２１１の部分の外皮２１を起こして突出外皮片２１２を形成させる。
【００３２】
ついで、前記突出外皮片２１２が形成された後、図２（Ｃ）に示すように、当該突出外皮片２１２をペンチ６０で挟持して他方の切れ目２１１へ向かって引っ張る。こうすることによって外皮２１は、繊維の延びる方向に沿って捲れていき、この捲れ状態が他方の切れ目２１１に到達することで突出外皮片２１２が外皮２１から外れ、開口３０が形成される。
【００３３】
なお、外皮２１に一対の切れ目２１１を形成させた後に各切れ目２１１の一方の端部間および他方の端部間に、例えばカッターナイフで繊維に沿った筋を設けておくことにより、その後の突出外皮片２１２をペンチ６０で挟持して捲っていく作業を容易に行うことができる。
【００３４】
図３は、開口３０の形成方法の第２実施形態を示す斜視図であり、図３（Ａ）はカポックの乾燥果実２０の外皮２１がカッター５０によって切削されつつある状態、図３（Ｂ）は、外皮２１に開口３０が形成された状態をそれぞれ示している。
【００３５】
第２実施形態の開口３０の形成方法にあっては、図３（Ａ）に示すように、カポックの乾燥果実２０の外皮２１に開口３０を設けるために、カッター５０が使用される。このカッター５０の柄５１を片手で把持し、刃先５２を外皮２１の適所に差し込んで一周するように当該外皮２１をカット（切削）していく。
【００３６】
カッティング処理（切削処理）が完了した後、切削片２１３を外皮２１から取り外すことにより、図３（Ｂ）に示すように、カポックの乾燥果実２０の外皮２１に開口３０が形成された小動物用飼育具１０が完成する。
【００３７】
第３実施形態の開口３０の形成方法によれば、カッター５０で自由にカッティング処理を施すことにより、各種の形状の開口３０を形成させることができるため、デザイン的に優れた形状の開口３０をつくる上で好都合である。
【００３８】
図４は、開口３０の形成方法の第３実施形態を示す斜視図であり、図４（Ａ）はカポックの乾燥果実２０の外皮２１がハンド丸鋸７０によって切削されつつある状態、図４（Ｂ）は、外皮２１に開口３０が形成された状態をそれぞれ示している。
【００３９】
第３実施形態の開口３０の形成方法にあっては、図４（Ａ）に示すように、カポックの乾燥果実２０の外皮２１に開口３０を設けるために、小型のハンド丸鋸（電動丸鋸）７０が使用される。このハンド丸鋸７０の丸鋸本体７１を片手で把持し、スイッチ７３をオンにして円形鋸刃７２を軸心回りに駆動回転させつつ、当該円形鋸刃７２で外皮２１を楕円状に切削する。
【００４０】
切削処理が完了した後、切削片２１３を外皮２１から取り外すことにより、図４（Ｂ）に示すように、カポックの乾燥果実２０の外皮２１に開口３０が形成された小動物用飼育具１０が完成する。
【００４１】
第３実施形態の開口３０の形成方法によれば、ハンド丸鋸７０を自由に操作することで各種の形状の開口３０を形成させることができるため、デザイン的に優れた形状の開口３０をつくる上で好都合である。
【００４２】
このようにして製造された小動物用飼育具１０を、ハムスターやリスなどの小動物のペットＰに与えると、ペットＰは、喜んでこの小動物用飼育具１０で遊んだり、小球状綿状体２２で巣作りをしたり、外皮２１をかじって歯の伸び過ぎを防ぐ。
【００４３】
第３実施形態の開口３０の形成方法にあっては、図４（Ａ）に示すように、カポックの乾燥果実２０の外皮２１に開口３０を設けるために、小型のハンド丸鋸（電動丸鋸）７０が使用される。このハンド丸鋸７０の丸鋸本体７１を片手で把持し、スイッチ７３をオンにして円形鋸刃７２を軸心回りに駆動回転させつつ、当該円形鋸刃７２で外皮２１を楕円状に切削する。
【００４４】
切削処理が完了した後、切削片２１３を外皮２１から取り外すことにより、図４（Ｂ）に示すように、カポックの乾燥果実２０の外皮２１に開口３０が形成された小動物用飼育具１０が完成する。
【００４５】
第３実施形態の開口３０の形成方法によれば、ハンド丸鋸７０を自由に操作することで各種の形状の開口３０を形成させることができるため、デザイン的に優れた形状の開口３０をつくる上で好都合である。
【００４６】
このようにして製造された小動物用飼育具１０を、ハムスターやリスなどの小動物のペットＰに与えると、ペットＰは、喜んでこの小動物用飼育具１０で遊んだり、小球状綿状体２２で巣作りをしたり、外皮２１をかじって歯の伸び過ぎを防ぐ。
【００４７】
図５は、小動物のペットＰが小動物用飼育具１０を使用している状態を模式的に示した斜視図であり、図５（Ａ）はペットＰが開口３０を介し乾燥果実２０の中から小球状綿状体２２を堀起こして遊んでいる状態、図５（Ｂ）は、ペットＰが乾燥果実２０の小球状綿状体２２の中に潜り込んで乾燥果実２０を巣またはハウスとして使用している状態、図５（Ｃ）は、ペットＰが乾燥果実２０の外皮２１をかじっている状態をそれぞれ示している。
【００４８】
まず、図５（Ａ）に示すように、ペットＰが乾燥果実２０の中の小球状綿状体２２を開口３０を介して掘り起こしている様子は、非常に可愛く、飼育者に安らぎを与えるものであるが、ペットＰ自身もこの遊びでストレスが解消され、ペットＰの精神衛生を良好に保つ上からも好都合である。
【００４９】
また、図５（Ｂ）に示すように、ペットＰは、ふわふわした小球状綿状体２２を寝具に見立ててその中に潜り込んだり、小球状綿状体２２を固めて巣作りをしたりする。特に巣作りについては、ペットＰの本能的な動作であるため、ペットＰに本能的な動作を行わせて精神的に安定させる上で本考案に係る小動物用飼育具１０は有用である。
【００５０】
さらに、図５（Ｃ）に示すように、ペットＰは、乾燥果実２０の外皮２１に開口３０が設けられることによってかじり易くなった当該開口３０の縁部をかじることで、歯の伸び過ぎを防止することができるため、小動物用飼育具１０は、ペットＰに良好な健康を維持させる上でも有用である。
【００５１】
また、当該乾燥果実２０を与えられたペットＰは、開口３０から露出した小球状綿状体２２を掻き出すことができるとともに、開口３０の縁部を手がかりにして容易にかじることもでき、これらの所作は、非常に可愛らしくて充分に観賞に耐え得るものになる。
【００５２】
また、ペットＰが硬い乾燥果実２０の外皮２１の開口縁部をかじると、歯が研磨されてその伸び過ぎが防止されるため、歯の健康上有用であるとともに、かじることでストレスも解消され、ペットＰの精神衛生上も好都合である。
【００５３】
さらに、ペットＰは、乾燥果実２０の中の小球状綿状繊維を掻き出して遊ぶとともに、掻き出した後の外皮２１内の空洞に所定の大きさに丸めた繊維で寝床をつくって睡眠するなど、カポックの乾燥果実２０を加工した小動物用飼育具１０は、ペットＰの生活環境を快適なものにするための道具としても機能させることができる。
【００５４】
このように、小動物用飼育具１０は、１つで観賞用飼育具と生活環境用飼育具との双方の機能を有しているため、それぞれが別個のものである場合に比較し、場所をとらず、ケージ内のペットＰの生活空間を狭くするような不都合が生じないようにした上で、飼育者は、ペットＰの可愛い動作を観賞することができるとともに、ペットＰに快適な生活環境を与えることができる。
【００５５】
また、カポックの乾燥果実２０の外皮２１に設けられた開口３０は、乾燥果実２０の長手方向両側が若干外側へ拡がる略弧状を呈するように形成されているため、当該開口３０をカポックの乾燥果実２０の略全長に亘って形成させることができ、ペットＰは、外皮２１における開口３０の縁部を広い範囲に亘ってかじることができるとともに、外皮２１内の小球状綿状体２２を容易に引き出して遊ぶことができる。
【００５６】
そして、第１実施形態の開口３０の形成方法によれば、カポックの乾燥果実２０の長手方向の両端部の互いに対向した位置に周方向へ延びる切れ目２１１を設けるようにしているため、一方の切れ目２１１から他方の切れ目２１１へ向けて外皮２１を捲ることにより外皮２１に容易に開口３０を形成させることができる。
【００５７】
ついで、第３実施形態の開口３０の形成方法によれば、開口３０は、カポックの乾燥果実２０の外皮２１をハンド丸鋸７０によって切削するようにしているため、ハンド丸鋸７０を外皮２１の適所で円を描くように一周させることによって、外皮２１に容易に開口３０を形成させることができる。
【００５８】
そして、特にハンド丸鋸７０を使用した場合には、種々の形状の開口３０を容易に形成させることができ、これによってデザイン的に優れた商品価値の高い小動物用飼育具１０を製造することができる。
【００５９】
本考案は、上記の実施形態に限定されるものではなく、以下の内容をも包含するものである。
【００６０】
（１）上記の実施形態においては、カポックの乾燥果実２０の外皮２１に輪を描くようにして切り込みを入れることによって開口３０を形成させるようにしているが、こうする代わりにカポックの乾燥果実２０を真っ直ぐにあるいは斜めに輪切りすることによって切断面に略円形状ないし略楕円形状の開口を形成させてもよい。このようにすれば、極めて簡単な操作でカポックの乾燥果実２０に開口を形成させることができる。
【００６１】
（２）上記の実施形態において、カポックの乾燥果実２０の内部の小球状綿状体２２に殺虫、殺菌、滅菌処理を施してもよい。こうすることで、カポックの乾燥果実２０の外皮２１に囲繞された小球状綿状体２２内で害虫や菌が繁殖するような不都合の発生を防止することができる。殺虫処理としては、脱酸素剤を用いたり、窒素ガスを吹き込んだりすることで害虫を窒息死される方法を採用したり、小動物に適した殺菌剤、滅菌剤を用いれば、すれば、殺虫、殺菌、滅菌処理後にペットＰに悪影響を及ぼすことがない。
【図面の簡単な説明】
【００６２】
【図１】本考案に係る小動物用飼育具の一実施形態を示す斜視図である。
【図２】カポックの乾燥果実の外皮に開口を設ける方法の第１実施形態を示す斜視図であり、（Ａ）は、外皮の両端部の適所に鋸によって長手方向と直交する方向に向けてそれぞれ切れ目を入れている状態、（Ｂ）は、一方の切れ目を先鋭工具であるドライバーで起こして突出外皮片を形成させている状態、（Ｃ）は、突出外皮片を挟持工具であるペンチで挟んで引っ張り、外皮を他方の切れ目へ向けて捲っている状態をそれぞれ示している。
【図３】カポックの乾燥果実の外皮に開口を設ける方法の第２実施形態を示す斜視図であり、図３（Ａ）はカポックの乾燥果実の外皮がカッターによって切削されつつある状態、図３（Ｂ）は、外皮に開口が形成された状態をそれぞれ示している。
【図４】カポックの乾燥果実の外皮に開口を設ける方法の第３実施形態を示す斜視図であり、（Ａ）はカポックの乾燥果実の外皮がハンド丸鋸によって切削されつつある状態、（Ｂ）は、外皮に開口が形成された状態をそれぞれ示している。
【図５】小動物のペットが小動物用飼育具を使用している状態を模式的に示した斜視図であり、（Ａ）はペットが開口を介し乾燥果実の中から綿状体を堀起こして遊んでいる状態、（Ｂ）は、ペットが乾燥果実の綿状体の中に潜り込んで乾燥果実を巣またはハウスとして使用している状態、（Ｃ）は、ペットが乾燥果実の外皮をかじっている状態をそれぞれ示している。
【符号の説明】
【００６３】
１０  小動物用飼育具
２０  カポックの乾燥果実
２１  外皮
２１１  切れ目
２１２  突出外皮片
２１３  切削片
２２  小球状綿状体（綿状の果肉）
３０  開口
５０  カッター
５１  柄
５２  刃先
６０  ペンチ
７０  ハンド丸鋸（電動丸鋸）
７１  丸鋸本体
７２  円形鋸刃
７３  スイッチ
Ｐ  ペット
【図１】
0003148927.tif 000003
【図２】
0003148927.tif 000004
【図３】
0003148927.tif 000005
【図４】
0003148927.tif 000006
【図５】
0003148927.tif 000007